(57)【要約】【課題】  白黒読取モード時は、多くの原稿画像の記憶を可能としつつ画質劣化を防止した変倍を可能とし、カラー読取モード時は、色ずれ等による画質の劣化を防止した変倍と可能とする。【解決手段】  白黒読取モードで原稿画像を読み取る際、変倍率に応じた速度で原稿を搬送しながら原稿を読み取って、読み取った多値画像に主走査変倍部３０３で主走査デジタル変倍を行った後、２値化部３０４で２値化して２値画像をメモリ３０６に記憶する。一方、カラー読取モードで画像を読み取る際、所定の速度で原稿を搬送しながら原稿を読み取って、読み取った多値画像をメモリ３０６に記憶し、多値画像に対して主走査デジタル変倍及び副走査デジタル変倍を行う。【選択図】  図６
2010103831.tif 000002
【特許請求の範囲】
【請求項１】
原稿を読み取って原稿画像を表す多値データを出力する読取手段と、
原稿と前記読取手段とを相対移動させる移動手段と、
原稿画像を表す多値データ又は２値データを記憶する記憶手段と、
白黒読取モードで原稿画像を読み取る際、前記移動手段により変倍率に応じた速度で原稿と前記読取手段とを相対移動させながら前記読取手段により原稿を読み取らせることにより相対移動方向の変倍を行い、前記読取手段から出力された多値データを２値化して前記記憶手段に記憶させ、
カラー読取モードで原稿画像を読み取る際、前記移動手段により所定の速度で原稿と前記読取手段とを相対移動させながら前記読取手段により原稿を読み取らせ、前記読取手段から出力された多値データを前記記憶手段に記憶させ、前記記憶手段に記憶された多値データに対して変倍処理を行わせる制御手段と、を有することを特徴とする原稿読取装置。
【請求項２】
前記制御手段は、前記白黒読取モードで所定の拡大率より大きい変倍を行う場合、前記移動手段により前記所定の速度で原稿と前記読取手段とを相対移動させながら前記読取手段により原稿を読み取らせ、前記読取手段から出力された多値データを前記記憶手段に記憶させ、前記記憶手段に記憶された多値データに対して変倍処理を行わせることを特徴とする請求項１記載の原稿読取装置。
【請求項３】
前記所定の拡大率は、前記白黒読取モードで原稿画像を読み取る際、前記所定の速度で原稿と前記読取手段とを相対移動させたときの変倍率であることを特徴とする請求項２記載の原稿読取装置。
【請求項４】
前記制御手段は、前記白黒読取モード時には前記カラー読取モード時以上の速度で前記移動手段により相対移動させることを特徴とする請求項３記載の原稿読取装置。
【請求項５】
前記制御手段は、前記白黒読取モードで変倍率１００％のときには前記カラー読取モード時よりも２倍以上の速度で前記移動手段により相対移動させることを特徴とする請求項４記載の原稿読取装置。
【請求項６】
前記読取手段は、前記白黒読取モードで前記所定の拡大率以下のときには前記カラー読取モード時よりも２倍以上の転送量で多値データを出力することを特徴とする請求項５記載の原稿読取装置。
【請求項７】
前記白黒読取モード時に前記読取手段から出力された多値データに対して前記相対移動方向と直交方向の変倍処理を行う変倍手段を有することを特徴とする請求項１記載の原稿読取装置。
【請求項８】
前記移動手段は、原稿を前記読取手段に対して移動させることを特徴とする請求項１記載の原稿読取装置。
【請求項９】
前記移動手段は、前記読取手段を原稿が載置される載置台に対して移動させることを特徴とする請求項１記載の原稿読取装置。
【発明の詳細な説明】
【技術分野】
【０００１】
本発明は、白黒読取モードとカラー読取モードを有し、読み取る原稿画像に変倍処理する原稿読取装置に関する。
【背景技術】
【０００２】
近年、白黒原稿の高速読み取りとカラー原稿の高画質読み取りの両立を目的として、従来のカラー読取用の３ラインセンサに、白黒読取用のラインセンサを加えた４ラインセンサを有する原稿読取装置が提案されている（例えば、特許文献１参照）。この種の原稿読取装置では、白黒読取用のラインセンサからの画像信号出力は、奇数画素出力と偶数画素出力の２チャンネルで行う。これにより、白黒読取用のラインセンサの読取生産性をカラー読取用のラインセンサの読取生産性の２倍にすることができ、大量の白黒原稿を短時間で読み取らせることができる。
【０００３】
白黒原稿の高速読み取りが実現すると、次に問題となるのが、高速読み取りを行った原稿読取装置からプリンタ等の画像形成装置に画像データを伝送する際の、原稿読取装置と画像形成装置の生産性の違いや立ち上がりタイミングの差である。原稿読取装置の生産性が画像形成装置の生産性よりも高い、あるいは、原稿読取装置の原稿読み取り開始タイミングが画像形成装置の画像形成開始タイミングよりも早い場合、読み取った原稿の画像データをメモリに一時記憶する必要がある。前述のように白黒原稿について高速読み取りを行ってメモリに一時記憶する場合、カラー原稿よりも多くのページ数の画像データを一時記憶する必要がある。
【０００４】
そこで、白黒原稿の多値の画像データは２値化してメモリに記憶し、カラー原稿の多値の画像データは多値のままメモリに記憶する構成を採用することが考えられる（例えば、特許文献２参照）。これにより、メモリ容量が限られている中で、文字画像であることが多い白黒原稿の画像データを２値化することにより、より多くのページの画像データを記憶することができる。
【特許文献１】特開２００２−２４７２９０号公報
【特許文献２】特開２００６−０８６６２９号公報
【発明の開示】
【発明が解決しようとする課題】
【０００５】
しかしながら、この白黒画像を拡大または縮小（以下、変倍と呼ぶ）する場合、メモリに記憶された２値画像を補間処理または間引き処理することによりデジタル変倍すると、画像のエッジ部に段差が生じたり、画像がぼやける等の画質劣化が生じたりする。そこで、倍率に応じた速度で原稿を搬送しながら原稿を読み取ることにより、副走査方向の変倍を行うスキャン変倍を行うことにより、画質劣化を防止することが考えられる。ところが、カラー原稿を読み取る場合にスキャン変倍を行うと、拡大時には光学系を低速駆動する際に生じる振動で、画像に色ずれが発生してしまう。
【課題を解決するための手段】
【０００６】
上述の課題を解決するため、本発明は、原稿を読み取って原稿画像を表す多値データを出力する読取手段と、原稿と前記読取手段とを相対移動させる移動手段と、原稿画像を表す多値データ又は２値データを記憶する記憶手段と、白黒読取モードで原稿画像を読み取る際、前記移動手段により変倍率に応じた速度で原稿と前記読取手段とを相対移動させながら前記読取手段により原稿を読み取らせることにより相対移動方向の変倍を行い、前記読取手段から出力された多値データを２値化して前記記憶手段に記憶させ、カラー読取モードで原稿画像を読み取る際、前記移動手段により所定の速度で原稿と前記読取手段とを相対移動させながら前記読取手段により原稿を読み取らせ、前記読取手段から出力された多値データを前記記憶手段に記憶させ、前記記憶手段に記憶された多値データに対して変倍処理を行わせる制御手段と、を有することを特徴とする原稿読取装置を提供するものである。
【発明の効果】
【０００７】
請求項１記載の発明によれば、白黒読取モード時は、多くの原稿画像の記憶を可能としつつ画質劣化を防止した変倍が可能となり、カラー読取モード時は、色ずれ等による画質の劣化を防止した変倍が可能となる。
【０００８】
また、請求項２記載の発明によれば、白黒読取モード時の読取生産性が所定の読取生産性よりも下回ることがない。
【０００９】
また、請求項３記載の発明によれば、白黒読取モード時の読取生産性がカラー読取モード時の読取生産性よりも下回ることがない。
【発明を実施するための最良の形態】
【００１０】
図１は、本発明の実施形態の原稿読取装置を構成する自動原稿送り装置（以下ＡＤＦ）１００およびリーダ部１５０の断面図である。ＡＤＦ１００は、少なくとも１枚以上の原稿で構成される原稿束Ｓを載置する昇降可能な原稿トレイ１０１と、原稿束Ｓ上に下降して回転することにより原稿を給送するピックアップローラ１０２を有する。ピックアップローラ１０２によって給送された原稿は、分離ローラ１０３により１枚に分離され、搬送ローラ対１０４により搬送されて、回転していない状態のレジストローラ１０５に突き当てられる。これにより、原稿の斜行が解消される。
【００１１】
レジストローラ１０５が回転を開始することにより、原稿は給送ローラ１０６および流し読みガラス１５１に接触するリードローラ１０７により流し読みガラス１５１上に送られる。給送ローラ１０６、リードローラ１０７は原稿を流し読みガラス１５１上を移動させる。流し読みガラス１５１上を後述する搬送速度で搬送される原稿表面の画像は、リーダ部１５０により読み取られる。そして、原稿は搬送ローラ１０８を通過し、リードローラ１０９と移動ガラス１１０の間を搬送され、排紙ローラ１１１により原稿排紙トレイ１１２上へ排出される。搬送ローラ１０８及びリードローラ１０９は原稿を移動ガラス１１０に沿って移動させる。流し読みガラス１５１から排紙ローラ１１１までの搬送経路には、原稿裏面の画像を照射するランプ１２３と、４ラインセンサ１２４を有する裏面画像読取部１１３が設けられている。４ラインセンサについては後ほど詳述する。裏面画像読取部１１３の４ラインセンサ１２４はランプ１２３を点灯した状態で、移動ガラス１１０に沿って搬送移動される原稿裏面の画像を読み取る。
【００１２】
リーダ部１５０は、流し読みガラス１５１、プラテンガラス１５２、スキャナユニット１５９（ランプ１５３とミラー１５４）、ミラー１５５及び１５６、レンズ１５７、４ラインセンサ１５８等を有している。流し読みガラス１５１に沿って搬送される原稿表面の画像を読み取るときは、スキャナユニット１５９は流し読みガラス１５１の下方に静止した状態でランプ１５３を点灯し、４ラインセンサ１５８に対して相対移動する原稿画像を４ラインセンサ１５８が読み取る。原稿載置台としてのプラテンガラス１５２上に載置された原稿を読み取るときは、ランプ１５３を点灯した状態でスキャナユニット１５９をプラテンガラス１５２に沿って相対移動させ、原稿画像を読み取る。白板１６０は、光学系のシェーディングを補正するために白レベルの基準とするものであり、白板１６０の下方にスキャナユニット１５９を静止した状態でランプ１５３を点灯し、４ラインセンサ１５８がこの白板１６０を読み取って基準データとする。
【００１３】
図２は、本原稿読取装置におけるＡＤＦ１００、リーダ部１５０、及び画像コントローラ２００の制御ブロック図である。リーダ部１５０において、ＣＰＵ１６１は、ＡＤＦ１００およびリーダ部１５０の制御を行う。ＣＰＵ１６１には、プログラム格納用のＲＯＭ１６２，作業領域用のＲＡＭ１６３が接続されている。ＲＯＭ１６２には、リーダ部１５０およびＡＤＦ１００の制御用プログラムが格納されており、ＲＡＭ１６３には、制御に使用される入力データや作業用データが格納される。モータ１６６は、スキャナユニット１５９等の光学系を移動させるモータを駆動する。リーダ部１５０は、ランプ１５３、４ラインセンサ１５８、４ラインセンサ出力をデジタル画像信号に変換する信号制御部１６９からなる表面画像読取部１７０を有する。ＣＰＵ１６１は、モータ１６６及び表面画像読取部１７０を制御することにより、リーダ部１５０に原稿画像の読み取りを行わせる。紙間補正処理部１６４は、搬送される原稿と原稿の間の紙間において、信号制御部１６９のパラメータ補正を行う。出力制御部１６５は、表面画像読取部１７０および後述する裏面画像読取部１１３で読み取られた画像信号を、必要に応じて画像バッファ１７１を経て、コントローラ２００に転送する。ＡＤＦ１００は、原稿搬送部１２１、裏面画像読取部１１３を有する。ＣＰＵ１６１の出力ポートには、原稿搬送用のローラを駆動するモータ１２８、ソレノイド１２６、クラッチ１２７が接続されている。また、ＣＰＵ１６１の入力ポートには、原稿の搬送タイミングを生成するための各種センサ１２９が接続されている。
【００１４】
ＣＰＵ１６１は、ＲＯＭ１６２に格納された制御プログラムにしたがって出力ポートを制御し、ＡＤＦ１００に原稿搬送を行わせる。また、原稿画像データの先端を示し、画像読取タイミングの先端基準となる画先信号は、通信ラインを介してＡＤＦ１００からリーダ部１５０に通知される。裏面画像読取部１１３は、ランプ１２３、４ラインセンサ１２４、信号制御部１２５を有し、読み取った原稿裏面の画像を出力制御部１６５に転送する。
【００１５】
これらの４ラインセンサ１５８及び１２４によって読み取られ、信号制御部１６９及び１２５によりデジタル画像信号に変換された画像データは、出力制御部１６５を介して、画像バッファ１７１に一時格納される。画像バッファ１７１に格納された画像データは、出力タイミングに同期して出力制御部１６５で読み出され、順次コントローラＩＦ部２５０を介してコントローラ部２００へ転送される。さらに、原稿画像データの先端の基準となる画先信号も、ＣＰＵ１６１からコントローラ部２００へ通知される。
【００１６】
コントローラ２００は、ＣＰＵ２０１、ＲＯＭ２０２、ＲＡＭ２０３を有する。出力制御部１６５を介してコントローラ部２００へ送られた画像データは、画像処理部２０４により画像処理が行われる。操作部２０５は、ユーザからの指示を受ける。ＣＰＵ２０１は、操作部２０５からの指示入力に応じて、画像データをプリンタインターフェース２０９経由で不図示のプリンタに出力する。また、ＣＰＵ２０１は、ＭＯＤＥＭ２０６で画像データを変調してＮＣＵ２０７から外部回線に送信したり、ＬＡＮインターフェース２０８経由で画像データを他の装置やＰＣに転送したりする。また、ＣＰＵ２０１は、操作部２０５で指示された機能を実行するために必要な動作をリーダ部１５０のＣＰＵ１６１に指示する。
【００１７】
図３は、４ラインセンサ１５８の構成を示す概略図である。４ラインセンサ１２４も４ラインセンサ１５８と同一の構成である。センサ受光部には、１つの白黒ラインセンサＢＷと、３つのカラーラインセンサＲ（赤），Ｇ（緑），Ｂ（青）が主走査方向（４ラインセンサに対する原稿の相対移動方向と直交方向）に沿って互いに平行に配置されている。各ラインセンサは、所定の大きさの受光素子を所定数配置して構成され、受光素子１個が１画素に相当する。カラーラインセンサＲには、受光素子上に色分解フィルタを有し、照射された光のうちレッド周波数成分のみが透過して、これをラインセンサが受光し、画像信号を出力する。Ｇ，Ｂについても同様に、それぞれのラインセンサは、それぞれグリーン、ブルーの各色成分のみを受光し、画像信号を出力する。これに対し、白黒ラインセンサＢＷには、色分解フィルタを設けていない。このため、白黒ラインセンサＢＷの受光量は、フィルタを設けたカラーラインセンサの受光量よりも多く、１ラインの読み取りに必要な受光時間が短くなり、原稿を高速に読み取ることができる。４ラインセンサは、ＣＣＤセンサ、ＣＭＯＳセンサ等の画像読み取り用センサで構成される。
【００１８】
図４は、４ラインセンサ１５８の画像信号を出力するための構成を示す図である。４ラインセンサ１２４も４ラインセンサ１５８と同一の構成である。カラーラインセンサ４０２〜４０４からは、水平同期信号ＨｓｙｎｃＣＬが入るたびに、奇数画素の電荷がシフトレジスタ４２２〜４２４、偶数画素の電荷がシフトレジスタ４１２〜４１４に転送される。シフトレジスタ４１２〜４１４及び４２２〜４２４の電荷は、画像クロックＨｃｌｋＣＬにより水平転送されて、１クロックに１画素ずつ出力バッファ４５２〜４５４および４６２〜４６４を介して出力される。
【００１９】
一方、モノクロラインセンサ４０１は、４つのシフトレジスタに接続されており、水平同期信号ＨｓｙｎｃＢＷにより、奇数画素の電荷がシフトレジスタ４２１及び４４１、偶数画素の電荷がシフトレジスタ４１１及び４３１に転送される。奇数画素の前半はシフトレジスタ４２１、後半はシフトレジスタ４４１、偶数画素の前半はシフトレジスタ４１１、後半はシフトレジスタ４３１により水平転送される。シフトレジスタ４１１、４２１、４３１、４４１の電荷は、画像クロックＨｃｌｋＢＷにより水平転送されて、１クロックに１画素ずつ出力バッファ４５１、４６１、４７１、４８１を介して出力される。
【００２０】
このようにして出力されたモノクロ画像信号は、画像クロックＨｃｌｋＣＬとＨｃｌｋＢＷが同じ周期の場合、カラー画像信号の２倍の転送量で転送されるため、カラー画像信号の１／２の時間で水平転送を終わらせることができる。そのため、水平同期信号ＨｓｙｎｃＢＷをＨｓｙｎｃＣＬの１／２の周期にし、白黒原稿の搬送速度（スキャン速度）を２倍にして、白黒原稿をカラー原稿の２倍の速さで画像読み取りを行うことができる。なお、モノクロラインセンサの蓄積時間はカラーラインセンサの１／２になってしまうが、モノクロラインセンサにはカラーフィルタが設けられていない分、十分な受光量を得ることができるため、十分な画像信号を出力することができる。なお、画像クロックＨｃｌｋＢＷがＨｃｌｋＣＬの周期の１／２よりも短い周期にすると、モノクロ画像信号はカラー画像信号の２倍以上の転送量で転送される。この場合、白黒原稿の搬送速度（スキャン速度）を２倍以上にして、白黒原稿をカラー原稿の２倍以上の速さで画像読み取りを行うことができる。
【００２１】
図５は、４ラインセンサ１５８から出力されるモノクロおよびカラーの画像信号のタイミングチャートを示す。カラーの画像信号についてはＲを例として示している。カラーラインセンサ４０２に入射した光は、ＨｓｙｎｃＣＬの１周期分、すなわち１ライン分に相当する蓄積時間ごとに電気信号に変換され、画素クロックＨｃｌｋＣＬに同期して出力される。カラーラインセンサ４０２の奇数画素と偶数画素は並行して信号が転送され、例えば１画素目と２画素目が同時に出力される。
【００２２】
一方、モノクロラインセンサ４０１に入射した光は、ＨｓｙｎｃＣＬの１／２の周期のＨｓｙｎｃＢＷの１周期分、すなわち１ライン分に相当する蓄積時間ごとに電気信号に変換され、画素クロックＨｃｌｋＢＷに同期して出力される。モノクロラインセンサ４０１の奇数画素と偶数画素は並行して信号が転送される。また、モノクロラインセンサ４０１の主走査方向の前半画素と後半画素は並行して信号が伝送される。従って、モノクロラインセンサ４０１の４画素が並行して出力される。１ラインの画素数をｎ（ｎは偶数）とすると、１クロック目では１画素目、２画素目、（ｎ／２）＋１画素目、（ｎ／２）＋２画素目が同時に出力される。このようにして、カラーラインセンサの１ライン分の読取時間で、モノクロラインセンサの２ライン分の読み取りを行う。
【００２３】
図６は、コントローラ２００内の画像処理部２０４のブロック図である。画像処理部２０４は、白黒原稿について高速読み取りを行ってメモリに一時記憶する場合、カラー原稿よりも多くのページ数の画像データを一時記憶できるよう構成されている。画像処理部２０４は、白黒原稿の多値の画像データは２値化してメモリに記憶し、カラー原稿の多値の画像データは多値のままメモリに記憶する。これにより、メモリ容量が限られている中で、文字画像であることが多い白黒原稿の画像データを２値化することにより、より多くのページの画像データを記憶することができる。
【００２４】
ここで、この白黒画像を変倍する場合、メモリに記憶された２値画像を補間処理または間引き処理することによりデジタル変倍すると、画像のエッジ部に段差が生じたり、画像がぼやける等の画質劣化が生じたりする。そこで、白黒原稿を読み取る際には、倍率に応じた速度で原稿を搬送しながら原稿を読み取ることにより、副走査方向（４ラインセンサに対する原稿の相対移動方向）の変倍を行うスキャン変倍を行うことにより、画質劣化を防止する。この場合の主走査方向の変倍は、多値データに対する画像処理によるデジタル変倍を行うが、主走査１ライン内の画像処理なので、複数ラインの画像データを保持することなく主走査方向の変倍を行うことができる。一方、カラー原稿を読み取る場合にスキャン変倍を行うと、拡大時には光学系を低速駆動する際に生じる振動で、画像に色ずれが発生してしまう。そこで、カラー原稿を読み取る際には、メモリに記憶したページ画像に対して主走査方向及び副走査方向のデジタル変倍を行うことで、色ずれの発生を防止する。ここでは、プリンタＩ／Ｆ２０９に白黒プリンタが接続されており、プリンタに対しては、白黒２値画像を出力する場合について説明する。
【００２５】
本原稿読取装置は、白黒読取モードとカラー読取モードを有する。白黒読取モードでは、出力制御部１６５は、ラインＲに白黒の奇数画素信号ＢＷｏｄｄ、ラインＧに白黒の偶数画素信号ＢＷｅｖｅｎが出力されるよう制御する。ＢＷｏｄｄ及びＢＷｅｖｅｎは多値データ（各８ビット）である。これにより、白黒読取モード時の信号転送速度がカラー読取モード時の２倍となる。白黒読取モード時、ＣＰＵ２０１は、セレクタ３０２がラインＲを主走査変倍部３０３のＢＷｏｄｄに、ラインＧを主走査変倍部３０３のＢＷｅｖｅｎに接続するよう制御する。
【００２６】
白黒読取モード時は、主走査変倍部３０３で主走査変倍が行われ、２値化部３０４で８ビットの多値データが２値データに変換され、並べ替え部３０５で奇数画素及び偶数画素が１ラインに並び替えられ、メモリ３０６に記憶される。副走査方向の変倍は、原稿読取時に倍率に応じたスキャン変倍が行われている。これにより、白黒原稿のデータサイズが小さくなり、データ処理の高速化およびメモリ蓄積量の大量化に有利となる。白黒読取モード時、ＣＰＵ２０１は、セレクタ３１２がメモリ３０６から２値データをプリンタＩ／Ｆ２０９に出力するよう制御する。メモリ３０６に記憶された画像データは、圧縮／伸長処理部３０９によって圧縮され、ＨＤＤ３０８に蓄積しておくことが可能である。ＨＤＤ３０８から画像データを読み出す場合、伸長／伸張処理部３０９で伸張してメモリ３０６に画像データを記憶させる。
【００２７】
カラー読取モードでは、出力制御部１６５は、ラインＲ、ラインＧ、ラインＢにそれぞれＲ出力、Ｇ出力、Ｂ出力が出力されるよう制御する。Ｒ出力、Ｇ出力、Ｂ出力は多値データ（各８ビット）である。カラー読取モード時、ＣＰＵ２０１は、ラインＲ、ラインＧ、ラインＢのそれぞれの多値データがメモリ３０６に多値データのまま記憶されるようセレクタ３０２を制御する。カラー読取モードでは、画像の階調性を保持するため、画像信号を各色８ビットのままメモリ３０６に蓄積する。カラー読取モード時の原稿スキャンは、倍率にかかわらず一定速度で行われ、一旦メモリ３０６に格納された各色８ビットデータ画像を変倍部３０７が読み出して、変倍部３０７が主走査方向及び副走査方向のデジタル変倍処理を行う。
【００２８】
デジタル変倍を、２値データに対してではなく、多値データに対して行うのは、以下の理由による。図７は、多値画像および２値画像をそれぞれデジタル変倍（拡大）したときの様子を示す図である。多値データのデジタル変倍では、多値データに基づいた補間演算を行うことにより、画像のエッジ部分の階段形状が目立ちにくい。これに対し、２値データのデジタル変倍では、２値データに基づいた拡大処理のため、画像のエッジ部分の階段形状が目立ってしまう。従って、デジタル変倍は多値データに基づいて（２値化する場合は２値化前に）行うことにより、拡大時の画像の劣化を防止する。
【００２９】
副走査方向のデジタル変倍は、ライン間の画像を補間演算で生成するため、複数ラインの画像データが同時に必要になる。従って、主走査方向及び副走査方向のデジタル変倍を行うカラー読取モードでは、一度メモリ３０６に１００％の画像を１ページ分格納し、その後複数ラインの画像を読み出して変倍処理を実行する。デジタル変倍処理後の画像は再度メモリ３０６に格納される。カラー読取モード時、メモリ３０６に記憶されたＲ，Ｇ，Ｂ各８ビットの３色画像信号は、ネットワークＩ／Ｆ３１４を介してネットワーク上のＰＣ等に出力される。また、メモリ３０６に記憶されたＲ，Ｇ，Ｂ各８ビットの３色画像信号は、ＢＫ信号生成部３１０で白黒多値データに変換された後、２値化部３１１で２値化される。カラー読取モード時、ＣＰＵ２０１は、セレクタ３１２が２値化部３１１から２値データをプリンタＩ／Ｆ２０９に出力するよう制御する。なお、プリンタＩ／Ｆ２０９にカラープリンタが接続されている場合には、ＢＫ信号生成部３１０及び２値化部３１１の代わりに設けた輝度濃度変換部によりＲ，Ｇ，ＢデータをＹ（イエロー），Ｍ（マゼンタ），Ｃ（シアン），ＢＫ（ブラック）の多値データに変換する。
【００３０】
図８は、本実施形態における、変倍率とスキャン速度の関係を示すグラフである。まず、変倍率１００％以上のときについて説明する。カラー読取モード時は、変倍率にかかわらずスキャン速度（原稿搬送速度）Ｖ［ｍｍ／ｓｅｃ］で原稿読み取りを行って、前述したようにデジタル変倍を行う。スキャン速度Ｖは、例えば２３４［ｍｍ／ｓｅｃ］とする。白黒読取モードで変倍率が１００％のときは、前述したようにカラー読取モードの２倍のスキャン速度２Ｖ［ｍｍ／ｓｅｃ］で原稿読み取りを行う。白黒読取モードで変倍率が１００％よりも大きいときは、スキャン速度２Ｖ×（１００／変倍率）［ｍｍ／ｓｅｃ］で原稿読み取りを行う。
【００３１】
グラフからわかるように、変倍率２００％までは、白黒読取モードのスキャン速度がカラー読取モードのスキャン速度よりも速いため、カラー読取モードよりも白黒読取モードの方が短時間で原稿読み取りを行うことができる。しかし、白黒読取モードにおいて、変倍率が２００％よりも大きいとき、スキャン速度２Ｖ×（１００／変倍率）［ｍｍ／ｓｅｃ］で原稿読み取りを行うと、スキャン速度がＶ［ｍｍ／ｓｅｃ］未満となり、スキャン速度がカラー読取モードよりも下回ってしまう。また、原稿搬送ローラを駆動するモータの性能によっては、低速域で振動が発生してしまう場合がある。高速域でも低速域でも安定して駆動できるモータやダンパ等を用いるとコストアップにつながってしまう。
【００３２】
そこで、本実施形態では、白黒読取モードにおいて、変倍率が２００％を超えるとき、すなわち、スキャン速度がＶ［ｍｍ／ｓｅｃ］未満となる変倍率のときは、スキャン速度をＶ［ｍｍ／ｓｅｃ］とし、主走査方向及び副走査方向とも多値データを用いてデジタル変倍する。これにより、白黒読取モード時には、カラー読取モード時以上のスキャン速度で原稿を移動させている。２値データではなく多値データを用いてデジタル変倍する理由は、前述した通り、画質の劣化を防止するためである。このように、スキャン変倍のスキャン速度がデジタル変倍のスキャン速度を下回る場合には、白黒読取モードであってもデジタル変倍を行うことにより、白黒読取モード時の読取生産性がカラー読取モード時よりも下回ることがない。本実施形態では、スキャン変倍とデジタル変倍の境界を２００％としたが、白黒読取モードとカラー読取モードの読取生産性等を考慮して所定の拡大率とすればよい。
【００３３】
図６に示すブロック図を用いて、白黒読取モードにおいて、変倍率が２００％を超えるときの処理について説明する。白黒読取モードにおいて、変倍率が２００％を超えるときは、出力制御部１６５は、ラインＲ、ラインＧ、ラインＢのそれぞれにカラーラインセンサのＧ出力が出力されるよう制御する。これは、カラーラインセンサの出力を用いて白黒画像データとして処理するためである。Ｇ出力は多値データ（各８ビット）である。ＣＰＵ２０１は、ラインＲ、ラインＧ、ラインＢのそれぞれの多値データがメモリ３０６に多値データのまま記憶されるようセレクタ３０２を制御する。
【００３４】
このときの原稿スキャンは、倍率にかかわらず一定速度Ｖ［ｍｍ／ｓｅｃ］で行われる。一旦メモリ３０６に格納された各色８ビットデータ画像を変倍部３０７が読み出して、変倍部３０７が主走査方向及び副走査方向のデジタル変倍処理を行う。デジタル変倍処理後の画像は再度メモリ３０６に格納される。メモリ３０６に記憶されたＧ信号は、ＢＫ信号生成部３１０で白黒多値データに変換された後、２値化部３１１で２値化されて、セレクタ３１２を介してプリンタＩ／Ｆ２０９から出力される。また、ネットワーク上のＰＣ等に出力される場合には、ラインＲ、ラインＧ、ラインＢのいずれもＧ出力の画像データであるため、結果として、白黒多値データがネットワークＩ／Ｆ３１４を介してネットワーク上のＰＣ等に出力される。
【００３５】
次に、図８を参照しながら、変倍率１００％未満のときについて説明する。白黒読取モードで変倍率が１００％未満のときも、１００％以上のときと同じようにスキャン速度を制御しようとした場合、スキャン速度が２Ｖ×（１００／変倍率）［ｍｍ／ｓｅｃ］で決められるため、２Ｖよりも高速にしなければならない。しかし、原稿搬送ローラを駆動するモータは、高速域でも低速域でも安定して駆動できるモータやダンパ等を用いるとコストアップにつながってしまう。
【００３６】
そこで、本実施形態では、白黒読取モードにおいて、変倍率が５０％以上１００％未満のときは、スキャン速度Ｖ×（１００／変倍率）［ｍｍ／ｓｅｃ］で原稿読み取りを行う。そして、主走査変倍部３０３で主走査変倍を行い、メモリ３０６に記憶された２値データを出力する際に、副走査方向を１／２（５０％）にデジタル変倍（２ラインのうち１ラインを間引く）する。つまり、副走査方向に関しては、スキャン変倍とデジタル変倍を組み合せて行っている。ここでは、２値データに対してデジタル変倍を行っているが、縮小変倍かつ１／２の変倍であるため、画像が劣化しにくい。これにより、スキャン速度を２Ｖよりも高速にすることなく、白黒読取モードにおける縮小変倍を行うことができ、また、白黒読取モードの読取生産性がカラー読取モードを下回ることがない。
【００３７】
白黒読取モードにおいて、変倍率が２５％以上５０％未満のときは、スキャン速度をＶ×（１００／変倍率）［ｍｍ／ｓｅｃ］とすると、上述と同じ問題が生じるため、スキャン速度を（１／２）×Ｖ×（１００／変倍率）［ｍｍ／ｓｅｃ］とする。この場合、メモリ３０６に記憶された２値データを出力する際に、副走査方向を１／４（２５％）にデジタル変倍（４ラインのうち３ラインを間引く）する。
【００３８】
カラー読取モードにおいて、変倍率が２５％以上５０％未満のときは、スキャン速度を（１／２）×Ｖ［ｍｍ／ｓｅｃ］とし、多値データに対してデジタル変倍を行う。この場合、副走査方向のデジタル変倍は、変倍率×２の変倍処理（変倍率が２５％のときは、５０％のデジタル変倍）を行う。これにより、デジタル変倍後の多値データ量が少なくなるにもかかわらず、デジタル変倍前の多値データ量が必要以上に多いために、デジタル変倍前の多値データがメモリ３０６を無駄に使用してしまうことを抑えることができる。
【００３９】
図９は、本実施形態におけるＡＤＦ１００及びリーダ部１５０のスキャン速度制御に関するフローチャートである。このフローは、リーダ部１５０のＣＰＵ１６１により実行される。このフローは、説明の簡単化のため、変倍率１００％以上の制御についてのみ示している。スキャン動作が要求されたとき、ＣＰＵ１６１は、コントローラ２００からカラー読取モードが指定された場合（Ｓ９０１）、出力制御部１６５からラインＲ、ラインＧ、ラインＢにそれぞれＲ出力、Ｇ出力、Ｂ出力を出力させる（Ｓ９０７）。そして、スキャン速度をＶ［ｍｍ／ｓｅｃ］に設定する（Ｓ９０８）。
【００４０】
ステップＳ９０１で、コントローラ２００から白黒読取モードが指定された場合は、コントローラ２００から指定された変倍率が２００％を超えているか判断する（Ｓ９０２）。ステップＳ９０２で、変倍率が２００％以下（所定の拡大率以下）の場合は、出力制御部１６５から、ラインＲに白黒の奇数画素信号ＢＷｏｄｄ、ラインＧに白黒の偶数画素信号ＢＷｅｖｅｎを出力させる（Ｓ９０３）。そして、スキャン速度を２Ｖ×（１００／変倍率）［ｍｍ／ｓｅｃ］に設定する（Ｓ９０４）。
【００４１】
ステップＳ９０２で、変倍率が２００％より大きい場合は、出力制御部１６５から、ラインＲ、ラインＧ、ラインＢのいずれにもカラーラインセンサのＧ出力を出力させる（Ｓ９０５）。そして、スキャン速度をＶ［ｍｍ／ｓｅｃ］に設定する。ステップＳ９０４、Ｓ９０６、Ｓ９０８でスキャン速度が設定された後、スキャン動作を開始する（Ｓ９０９）。
【００４２】
図１０は、コントローラ２００側が読み取られた画像を変倍処理してメモリに格納するまでの流れを示すフローチャートである。このフローは、コントローラ２００のＣＰＵ２０１により実行される。このフローは、説明の簡単化のため、変倍率１００％以上の制御についてのみ示している。カラー読取モードの場合は（Ｓ１００１）、入力したＲ，Ｇ，Ｂの多値データ（Ｓ１００８）をメモリ３０６に格納する（Ｓ１０１０）。その後、メモリ３０６から画像データを取り出し、変倍部３０７により主走査及び副走査のデジタル変倍を行い（Ｓ１０１１）、再びメモリ３０６に格納する（Ｓ１０１２）。
【００４３】
ステップＳ１００１で、白黒読取モードの場合、変倍率が２００％を超えているか判断する（Ｓ１００２）。ステップＳ１００２で、変倍率が２００％以下の場合は、入力したＢＷｏｄｄ，ＢＷｅｖｅｎの多値データ（Ｓ１００３）に対して、主走査変倍を行う（Ｓ１００４）。その後、多値データを２値化して、１ラインのデータに並び替え（Ｓ１００５）、メモリ３０６に格納する（Ｓ１００６）。
【００４４】
ステップＳ１００２で、変倍率が２００％より大きい場合は、ラインＲ、ラインＧ、ラインＢを介して入力したＧの多値データ（Ｓ１００７）をメモリ３０６に格納する（Ｓ１０１０）。その後、メモリ３０６から画像データを取り出し、変倍部３０７により主走査及び副走査のデジタル変倍を行い（Ｓ１０１１）、再びメモリ３０６に格納する（Ｓ１０１２）。
【００４５】
本実施形態では、白黒読取モード時におけるスキャン変倍とデジタル変倍を切り換える基準を、白黒読取モード時とカラー読取モード時のスキャン速度を比較することにより決めた。しかし、これに限られるものではなく、白黒読取モード時の読取生産性がカラー読取モード時の生産性を下回らないように、変倍部３０７によるデジタル変倍に要する時間やメモリ３０６に対する入出力時間等も加味した基準としてもよい。
【００４６】
なお、本実施形態では、ＡＤＦ１００で原稿を搬送して読み取る流し読みスキャン動作の場合で説明したが、スキャナユニット１５９を往復動作させてプラテンガラス１５２上の原稿を読み取る場合にも適用可能である。
【図面の簡単な説明】
【００４７】
【図１】本発明の実施形態の原稿読取装置を構成するＡＤＦ１００およびリーダ部１５０の断面図である。
【図２】ＡＤＦ１００、リーダ部１５０、及び画像コントローラ２００の制御ブロック図である。
【図３】４ラインセンサ１５８の構成を示す概略図である。
【図４】４ラインセンサ１５８の画像信号を出力するための構成を示す図である。
【図５】４ラインセンサ１５８から出力されるモノクロおよびカラーの画像信号のタイミングチャートである。
【図６】コントローラ２００内の画像処理部２０４のブロック図である。
【図７】多値画像および２値画像をそれぞれデジタル変倍（拡大）したときの様子を示す図である。
【図８】倍率とスキャン速度の関係を示すグラフである。
【図９】ＡＤＦ１００及びリーダ部１５０のスキャン速度制御に関するフローチャートである。
【図１０】コントローラ２００側が読み取られた画像を変倍処理してメモリに格納するまでの流れを示すフローチャートである。
【符号の説明】
【００４８】
１００  ＡＤＦ
１５０  リーダ部
１１３  原稿裏面読取部
１１３  裏面画像読取部
１２１  原稿搬送部
１２４  ４ラインセンサ
１５１  流し読みガラス
１５２  プラテンガラス
１５８  ４ラインセンサ
１６１  ＣＰＵ
１６５  出力制御部
２００  コントローラ部
２０１  ＣＰＵ
３０２  セレクタ
３０３  主走査変倍部
３０４  ２値化部
３０６  メモリ
３１２  セレクタ
３０７  変倍部
４０２〜４０４  カラーラインセンサ
４０１  モノクロラインセンサ
【図１】
2010103831.tif 000003
【図２】
2010103831.tif 000004
【図３】
2010103831.tif 000005
【図４】
2010103831.tif 000006
【図５】
2010103831.tif 000007
【図６】
2010103831.tif 000008
【図７】
2010103831.tif 000009
【図８】
2010103831.tif 000010
【図９】
2010103831.tif 000011
【図１０】
2010103831.tif 000012
【手続補正書】
【提出日】平成22年2月2日(2010.2.2)
【手続補正１】
【補正対象書類名】明細書
【補正対象項目名】００３８
【補正方法】変更
【補正の内容】
【００３８】
カラー読取モードにおいて、変倍率が２５％以上５０％未満のときは、スキャン速度を２Ｖ［ｍｍ／ｓｅｃ］とし、多値データに対してデジタル変倍を行う。この場合、副走査方向のデジタル変倍は、変倍率×２の変倍処理（変倍率が２５％のときは、５０％のデジタル変倍）を行う。これにより、デジタル変倍後の多値データ量が少なくなるにもかかわらず、デジタル変倍前の多値データ量が必要以上に多いために、デジタル変倍前の多値データがメモリ３０６を無駄に使用してしまうことを抑えることができる。